(57)【特許請求の範囲】
【請求項１】
トラックの荷台上に固定される棚外枠と、この棚外枠内に配置される棚本体と、各対が同極どうし上下に対向するように配置される複数対の永久磁石とを備え、各永久磁石対の上部側磁石を棚本体の底板下面側所要部に取り付け、その下部側磁石を棚外枠の基板上面側に取り付け、各永久磁石対の反発力を利用して棚本体を浮上させるようにすると共に、棚本体の横振れを規制する横振れ規制手段を、棚本体の外周側所要部とこれに対向する棚外枠の内側所要部との間に介設してなり、
前記横振れ規制手段は、棚本体の四隅に立設した各支柱の上下両端部から夫々外向きに突出するガイドピンと、棚外枠の四隅に立設した各支柱の内側に取り付けた丸パイプの上下両端部に形成されていて、前記ガイドピンが上下スライド可能に突入する上下スリットとからなるトラック輸送用免震棚装置。
【請求項２】
各永久磁石対の下部側磁石に対する上部側磁石の反発による棚本体の過度の跳ね上がりを防止するコイルバネを、棚本体の底板下面側所要部と棚外枠の基板上面側との間に介装連結してなる請求項１に記載のトラック輸送用免震棚装置。
【請求項３】
棚外枠の基板上には、トラック走行時の荷台の傾斜によって棚本体の一端側が下がり過ぎないように、その下がりかけた棚本体の底板下面部を支持する弾性支持部材を複数箇所に突設してなる請求項１又は２に記載のトラック輸送用免震棚装置。
【発明の詳細な説明】
【技術分野】
【０００１】
本発明は、バンなどのトラックの荷台に設置されていて、ケーキなどの商品を棚に載せたまま目的地まで運ぶのに使用されるトラック輸送用の棚装置に関し、特に本発明は、走行中に車体から棚へ伝わる振動を吸収し、ケーキなどの商品の形が崩れしないようにしたトラック輸送用免震棚に関する。
【背景技術】
【０００２】
従来のトラック輸送用棚装置には免震手段が設けられておらず、トラック走行時に車体に生じる振動が棚に伝わることから、ケーキなどの軟らかくて形崩れし易い菓子食品は運搬することができなかった。
【発明の概要】
【発明が解決しようとする課題】
【０００３】
本発明は、上記の事情に鑑み、車体が揺れても、ケーキなどの軟らかくて形崩れし易い食品を形崩れすることなく、目的地まで運搬することのできるトラック輸送用免震棚装置を提供することを目的とする。
【課題を解決するための手段】
【０００４】
上記課題を解決するための手段を、後述する実施形態の参照符号を付して説明すると、請求項１に係る発明のトラック輸送用免震棚装置は、トラックの荷台上に固定される棚外枠３と、この棚外枠３内に配置される棚本体４と、各対が同極どうし上下に対向するように配置される複数対の永久磁石５，６とを備え、各永久磁石対５，６の上部側磁石５を棚本体４の底板４ａ下面側所要部に取り付け、その下部側磁石６を棚外枠３の基板３ａ上面側に取り付け、各永久磁石対５，６の反発力を利用して棚本体４を浮上させるようにすると共に、棚本体４の横振れを規制する横振れ規制手段７を、棚本体４の外周側所要部とこれに対向する棚外枠３の内側所要部との間に介設してなり、
前記横振れ規制手段７は、棚本体４の四隅に立設した各支柱４ｂの上下両端部から夫々外向きに突出するガイドピン１１と、棚外枠３の四隅に立設した各支柱３ｃの内側に取り付けた丸パイプ３ｃの上下両端部に形成されていて、前記ガイドピン１１が上下スライド可能に突入する上下スリット８，８とからなることを特徴とする。
【０００５】
請求項２は、請求項１に記載のトラック輸送用免震棚装置において、各永久磁石対５，６の下部側磁石６に対する上部側磁石５の反発による棚本体４の過度の跳ね上がりを防止するコイルバネ９を、棚本体４の底板４ａ下面側所要部と棚外枠３の基板３ａ上面側との間に介装連結してなることを特徴とする。
ことを特徴とする
【０００６】
請求項３は、請求項１又は２に記載のトラック輸送用免震棚装置において、棚外枠３の基板３ａ上には、トラック走行時の荷台４ａの傾斜によって棚本体４の一端側が下がり過ぎないように、その下がりかけた棚本体４体の底板４ａ下面部を支持する弾性支持部材１０を複数箇所に突設してなることを特徴とする。
【発明の効果】
【０００８】
上記解決手段による発明の効果を、後述する実施形態の参照符号を付して説明すると、請求項１に係る発明のトラック輸送用免震棚装置によれば、棚本体４に形崩れのし易い食品、例えばケーキを多数個載せて目的地まで運搬する時に、走行中に車体が振動しても、その振動は、棚外枠３には伝わるが、棚本体４に伝わることがない。即ち、棚本体４は、棚本体４の底板４ａと棚外枠３の基板３ａとの間に介設した複数の永久磁石対５，６の上部側磁石５と下部側磁石６との反発力により浮上した状態にあって、棚外枠３との縁を切られており、また横振れ規制手段７によって棚本体４の横振れが阻止されているから、棚本体４内のケーキは、棚板４ｆ上で静止状態にあって、その形を崩すことなく、元のままの状態で目的地まで運ぶことができる。
また本発明によれば、横振れ規制手段７は、棚本体４の四隅に立設した各支柱４ｂの上下両端部から夫々外向きに突出するガイドピン１１と、棚外枠３の四隅に立設した支柱３ｃの内側に取り付けた丸パイプ３ｃの上下両端部に形成されていて、ガイドピン１１が上下スライド可能に突入する上下スリット８，８とからなるため、構造が簡単でありながら、棚本体４の横振れを有効に規制することができる。
【０００９】
請求項２に係る発明によれば、各永久磁石対５，６の反発力が強いため、その反発力で棚本体４が跳ね上がり過ぎる場合があるが、棚本体４の底板４ａ下面側所要部と棚外枠３の基板３ａ上面側所要部との間に、跳ね上がり防止用のコイルバネ９を介装連結することによって、棚本体４が過度に跳ね上がることがなく、棚本体４を安定状態に保持することができる。
【００１０】
請求項３に係る発明によれば、トラックが大きな段差のあるところを走行する時には棚本体４の一端側が下がり過ぎて傾斜状態となり易いが、棚外枠３の基板３ａ上には、そのような棚本体４の下がり過ぎを防止する弾性支持部材１０が複数箇所に突設されているから、弾性支持部材１０によって、その下がりかけた棚本体４の底板４ａ下面が支持され、それにより棚本体４を水平状態に保持することができる。
【図面の簡単な説明】
【００１２】
【図１】本発明に係るトラック輸送用免震棚装置の外観斜視図である。
【図２】(a) は免震棚装置の横断平面図、(b) は縦断正面図である。
【図３】横振れ規制手段の棚本体側のガイドピンと棚外枠側の円筒状支柱の上下スリットとを示す斜視図である。
【発明を実施するための形態】
【００１３】
以下に本発明の好適な実施形態を図面に基づいて説明すると、図１はバン型トラックの荷台に設けられたバン１内に免震棚装置２を設置した状態を示す。この免震棚装置２は、図２の(a) 及び(b) から分かるように、バン１の床壁部１ａ上に固定される棚外枠３と、この棚外枠３内に配置される棚本体４と、各対が同極どうし上下に対向するように配置される複数対の永久磁石５，６とを備えていて、各永久磁石対５，６の上部側磁石５を棚本体４の底板４ａ下面側所要部に取り付け、各永久磁石対５，６の下部側磁石６を棚外枠３の基板３ａ上面側に取り付け、各永久磁石対５，６の反発力を利用して棚本体４を浮上させるようにすると共に、棚本体４の横振れを規制する横振れ規制手段７を、棚本体４の外周側所要部とこれに対向する棚外枠４の内側所要部との間に介設したものである。尚、図１において、１ｃはバン１の後部開閉扉を示す。
【００１４】
上記免震棚装置２の構造について更に詳しく説明すれば、棚本体４は、図２の(a) 及び(b) に示すように、矩形板状の底板４ａと、この底板４ａの四隅に立設された矢板状の支柱４ｂ・・・と、これら支柱４ｂ・・・のうち左右各側の前後支柱４ｂ，４ｂ間に介装された左右側板４ｃ，４ｃと、背面側の左右支柱４ｂ，４ｂ間に介装された背面板４ｄと、天板４ｅとからなるもので、左右側板４ｃ，４ｃ間には棚板４ｆが複数段に架け渡されている。また、この棚本体４の前面側開口部には引き違いガラス障子４ｇ，４ｇが装備される。
【００１５】
棚外枠３は、図２の(a) 及び(b) に示すように、基板３ａと、この基板３ａの四隅に立設された矢板状の支柱３ｂ・・・と、各支柱３ｂの内側に沿って支柱３ｂと一体的に設けられた丸パイプ３ｃ・・・とからなるもので、各丸パイプ３ｃの上端部側及び下端部側には棚本体４の外隅部に対向する位置に、夫々スリット８（図３参照）が設けられている。各丸パイプ３ｃの上端部は、バン１の天井壁部１ｂまで伸びて、それに固定されるようになっている。
【００１６】
各永久磁石対５，６は、永久磁石のうちでは最も強力なネオジム磁石からなるもので、各磁石５，６は、例えば直径が５０ｍｍ、厚さが１０ｍｍの円板状磁石を使用しており、そして図２の(a) ，(b) から分かるように、この永久磁石対５，６の上部側磁石５は、棚本体４を形成する底板４ａ下面の左右両側の前後端部と中央部の前後端部との６箇所に取り付けられ、また下部側磁石６は、棚外枠３を形成する基板３ａ上面における各上部側磁石５の真下位置に取り付けられている。
【００１７】
また図２の(a) ，(b) に示すように、棚本体４の底板４ａ下面と棚外枠３の３ａ上面との間には、各永久磁石対５，６の下部側磁石６に対する上部側磁石５の強い反発によって棚本体４が跳ね上がるのを防止するコイルバネ９が、棚本体底板４ａの左右両側前後位置の４箇所に介装連結されている。また、棚外枠３の基板３ａ上には、トラックが大きな段差のあるところを走行する時に車体が傾斜して棚本体４の一端側が下がり過ぎるのを防止するために、その下がりかけた棚本体４の底板４ａ下面部を支持する弾性支持部材１０が複数箇所に突設されている。この弾性支持部材１０はスポンジ材からなるものである。
【００１８】
前記横振れ規制手段７は、図２の(a) ，(b) 及び図３に示すように、棚本体４の四隅に立設されている矢板状支柱４ｂ・・・の夫々上下両端部から外向きに突出するガイドピン１１，１１と、棚外枠３の四隅に夫々立設された矢板状支柱３ｂの内側に取り付けてある丸パイプ３ｃの上下両端部に形成されていて、前記ガイドピン１１が上下スライド可能に突入する上下スリット８，８とによって構成される。
【００１９】
この横振れ規制手段７は、各永久磁石対５，６の反発力によって棚本体４が浮上していることから、その浮上したままの状態では横振れして不安定となるため、棚本体４側のガイドピン１１が棚外枠３側の丸パイプ３ｃのスリット８に突入係合してその横揺れを規制する、つまり振れ止めを行ない、それによって棚本体４を棚外枠３内に安定状態で浮上させることができる。
【００２０】
この横振れ規制手段７では、図２の(a) から分かるように、棚本体４側のガイドピン１１が、棚本体４の隅部においてその隅角９０°の２等分線に沿って外向きに突出し、このガイドピン１１が突入するスリット８も棚外枠３の隅部でその隅角９０°の２等分線に沿うように丸パイプ３ｃに形成されているから、棚本体４が左右横方向に振れ、また前後横方向に振れ、更には斜め横方向に振れたとしても、それらあらゆる方向の横振れを有効に吸収することができる。
【００２１】
上記のように構成されるトラック輸送用免震棚装置２によれば、棚本体４の棚板４ｆに形崩れのし易い食品、例えばデコレーションケーキを載置して目的地まで運搬する時に、走行中の車体が振動しても、その振動は、棚外枠３には伝わるが、棚本体４に伝わることがない。即ち、棚本体４は、棚本体４の底板４ａと棚外枠３の基板３ａとの間に介設されていて、各対が同極どうし上下に対向するように配置された複数の永久磁石対５，６の上部側磁石５と下部側磁石６との反発力により浮上した状態にあって、棚外枠３との縁を切られており、また横振れ規制手段７によって棚本体４の横振れが阻止されているから、棚本体４内のデコレーションケーキは、棚板４ｆ上で静止状態にあり、形崩れを起こすことなく、元のままの状態で目的地まで運ぶことができる。
【００２２】
また、各永久磁石対５，６の反発力が強いため、その反発力で棚本体４が跳ね上がり過ぎる場合があるが、棚本体４の底板４ａ下面側と棚外枠３の３ａ上面側との間に、跳ね上がり防止用のコイルバネ９が棚本体底板４ａの左右両側前後位置の４箇所に介装連結されているから、棚本体４が過度に跳ね上がることがなく、従って棚本体４を安定状態に保持することができる。
【００２３】
また、トラックが大きな段差のあるところを走行する時には棚本体４の一端側が下がり過ぎて傾斜状態となり易いが、棚外枠３の基板３ａ上には、そのような棚本体４の下がり過ぎを防止する弾性支持部材１０が複数箇所に突設されているから、弾性支持部材１０によって、その下がりかけた棚本体４の底板４ａ下面が支持されるから、棚本体４を水平状態に保持することができる。
【００２４】
上述した実施形態のトラック輸送用免震棚装置２は、トラックの荷台上に固定される棚外枠３と、棚外枠３内に配置される棚本体４とに分離されていて、棚本体４と棚外枠３との間に、各対が同極どうし上下に対向するように配置した複数の永久磁石対５，６を介設して、その上部側磁石５と下部側磁石６との反発力によって棚本体４を浮上させるようにすると共に、横振れ規制手段７によって棚本体４の横振れを規制するようにし、また棚本体４の底板４ａ下面側と棚外枠３の基板３ａ上面側との間に介装連結したコイルバネ９によって、上部側磁石５による棚本体４の跳ね上がりを防止するようにし、更に棚外枠３の基板３ａ上面に突設した弾性支持部材１０によって、段差のあるところでの走行時に弾性支持部材１０が棚本体４の底板４ａ下面を支持することによって、棚本体４を水平状態に保持するようにしたものであるが、この免震棚装置２において重要なことは、反発力を生じる永久磁石対５，６、横振れ規制手段７、跳ね上がり防止用コイルバネ９及び弾性支持部材１０のバランスであり、そのバランスをうまくとることによって、最良の免震効果を発揮させることができる。
【符号の説明】
【００２５】
１            バン型トラックのバン
２            免震棚装置
３            棚外枠
３ａ          棚外枠の基板
３ｂ          棚外枠の支柱
３ｃ          丸パイプ
４            棚本体
４ａ          棚本体の底板
４ｂ          棚本体の支柱
５            永久磁石対の上部側磁石
６            永久磁石対の下部側磁石
７            横振れ規制手段
８            丸パイプのスリット
９            コイルバネ
１０          弾性支持部材
１１          ガイドピン
【図１】
0005816594.tif 000002
【図２】
0005816594.tif 000003
【図３】
0005816594.tif 000004